(57)【特許請求の範囲】
【請求項１】
ハンドオーバーに関して信号品質を判断する方法であって、
使用されていない周波数に関連つけられたＣＳＧ測定を取得する指示を受信するステップと、
前記使用されていない周波数上でＣＳＧセルと関連付けられた品質を測定するステップと、
無線送信／受信ユニット（ＷＴＲＵ）が、前記使用されていない周波数に関連つけられた単一のＣＳＧセルを有するように、ＣＳＧ仮想アクティブセットを更新するステップであって、前記単一のＣＳＧセルは、前記使用されていない周波数に関連つけられた最適ＣＳＧセルであることと
を備えることを特徴とする方法。
【請求項２】
前記ＣＳＧセルは、ネットワークがシグナルしたＰＳＣ  ＣＳＧ領域内にＰＳＣを有することを特徴とする請求項１に記載の方法。
【請求項３】
前記最適ＣＳＧセルは、ＰＳＣ  ＣＳＧ領域内にあることを特徴とする請求項１に記載の方法。
【請求項４】
前記ＣＳＧセルへの接近を判断するステップと、
前記接近を示すメッセージを送信するステップと
をさらに備えることを特徴とする請求項１に記載の方法。
【請求項５】
前記ＣＳＧセルは、ホワイトリストの一部であることを特徴とする請求項４に記載の方法。
【請求項６】
周波数品質が第１の閾値未満であることを判断するステップと、
測定が必要であることを示すイベントをトリガするステップと
をさらに備えることを特徴とする請求項１に記載の方法。
【請求項７】
前記周波数品質は、サービングセルに関連付けられ、前記イベントは、ネットワークに送信され、
マクロセルの品質が第２の閾値を越えていることを判断することをさらに備えることを特徴とする請求項６に記載の方法。
【請求項８】
前記指示は、前記ネットワークから受信されることを特徴とする請求項７に記載の方法。
【請求項９】
無線送信／受信ユニット（ＷＴＲＵ）であって、
使用されていない周波数に関連つけられたＣＳＧ測定を取得する指示を受信し、
前記使用されていない周波数上でＣＳＧセルと関連付けられた品質を測定し、
前記使用されていない周波数に関連つけられた単一のＣＳＧセルを有するように、ＣＳＧ仮想アクティブセットを更新することであって、前記単一のＣＳＧセルは、前記使用されていない周波数に関連つけられた最適ＣＳＧセルであるように構成されたプロセッサ
を備えることを特徴とするＷＴＲＵ。
【請求項１０】
前記ＣＳＧセルは、ネットワークがシグナルしたＰＳＣ  ＣＳＧ領域内にＰＳＣを有することを特徴とする請求項９に記載のＷＴＲＵ。
【請求項１１】
前記最適ＣＳＧセルは、ＰＳＣ  ＣＳＧ領域内にあることを特徴とする請求項９に記載のＷＴＲＵ。
【請求項１２】
前記プロセッサは、前記ＣＳＧセルへの接近を判断し、前記接近を示すメッセージを送信するようにさらに構成されることを特徴とする請求項９に記載のＷＴＲＵ。
【請求項１３】
前記ＣＳＧセルは、ホワイトリストの一部であることを特徴とする請求項１２に記載のＷＴＲＵ。
【請求項１４】
前記プロセッサは、周波数品質が第１の閾値未満であることを判断し、測定が必要であることを表示するイベントをトリガするようにさらに構成されることを特徴とする請求項９に記載のＷＴＲＵ。
【請求項１５】
前記周波数品質は、サービングセルに関連付けられ、前記イベントは、ネットワークに送信され、
前記プロセッサは、マクロセルの品質が第２の閾値を越えていることを判断するようにさらに構成されることを特徴とする請求項１４に記載のＷＴＲＵ。
【請求項１６】
前記指示は、前記ネットワークから受信されることを特徴とする請求項１５に記載のＷＴＲＵ。
【発明の詳細な説明】
【技術分野】
【０００１】
本願は、接続モードのＨ（Ｅ）ＮＢアウトバウンドモビリティおよびＨ（Ｅ）ＮＢ間モビリティの評価および測定報告に関する。
【０００２】
本出願は、２０１０年１月８日に出願された米国特許仮出願第６１／２９３５１１号明細書の利益を主張するものであり、その開示内容は、参照により本出願の一部とする。
【背景技術】
【０００３】
ホームノードＢ（ＨＮＢ）およびホームｅノードＢ（ＨｅＮＢ）（以下、まとめてホームノードＢ（ＨＮＢ）と呼ぶ）を使用して、セルのカバレッジおよびシステム全体のスループットを増大することができる。このＨＮＢを密に配備して、１または複数のマクロ（ｅ）ノードＢのカバレッジエリアに配置することができる。
【０００４】
用語ＨＮＢは、無線ローカルエリアネットワーク（ＷＬＡＮ）のアクセスポイント（ＡＰ）と同様の物理的デバイスを指す。ＨＮＢは、住宅、小売店、あるいは小規模な事務所などの、小規模なサービスエリアに対する、ＵＭＴＳ（Universal Mobile Telecommunications System）、３ＧＰＰ（3rd Generation Partnership Project）のＬＴＥ（Long Term Evolution）、および他の通信システムサービスへのアクセスをユーザに提供できる。ＨＮＢは、例えば、インターネット接続（例えば、デジタル加入者線（ＤＳＬ））を使用することによって、通信業者のコアネットワークに接続できる。
【０００５】
ＨＮＢ閉域加入者グループ（ＣＳＧ）のセルは、ＨＮＢによって提供された無線カバレッジに、そのセルのサービスを使用する権限のある加入者グループがアクセスできる、定められたエリアになることができる。権限が与えられたこのようなＷＴＲＵを、ＣＳＧセルのメンバーと呼ぶことができる。ＣＳＧは、特定の場所の近くにいる仲間または任意のユーザ（例えば、コーヒーショップにいる皆）であって、ＨＮＢ  ＣＳＧのセルにアクセスを試みる仲間または任意のユーザであってよい。加入者（例えば、個人または団体）は、ＨＮＢを使用して、サービスを望むエリアにＣＳＧセルを配備できる。各ＷＴＲＵは、アクセスする権限が与えられたＣＳＧセルのＣＳＧ識別子（ＩＤ）を含むことができる、ホワイトリスト（例えば、許可されたＣＳＧリスト）を記憶できる。以下の説明にあたり、用語、ハイブリッドセルは、メンバーＷＴＲＵに対してＣＳＧセルのように機能し、非メンバーＷＴＲＵに対するオープンセルのように機能するセルを含むことができるが、これに限定されない。
【０００６】
ＩＤＬＥモードモビリティ（およびモビリティ使用されるステート、例えば、ＩＤＬＥ、ＵＭＴＳのＣＥＬＬ＿ＰＣＨおよびＵＲＡ＿ＰＣＨ、ＩＤＬＥ）は、ＷＴＲＵが制限されたアップリンクリソースを使用する時の手順を記述する。接続モードモビリティ（例えば、ＵＭＴＳのＣＥＬＬ＿ＤＣＨ）は、ＷＴＲＵがアップリンクリソースを頻繁に利用する時の手順を含むことができる。ＣＳＧセルの接続モードモビリティは、接続が許可されそうなＣＳＧセルが近くにあるとＷＴＲＵが判断した場合、ＷＴＲＵが、接近表示メッセージ（proximity indication message）をネットワークに送信できる、接近表示を含むことができる。ＷＴＲＵは、自身のホワイトリストの一部であるＣＳＧセルにアクセスする（visit）時にＷＴＲＵが記憶する情報を含むことができる、フィンガープリントマッチに基づいて、この判断を行うことができる。フィンガープリントマッチは、隣接するマクロセルについての情報（例えば、６つのマクロセルのＰＳＣ／物理的なセル識別子（ＰＣＩ））または定位情報（ＧＰＳ座標）を含むことができる。フィンガープリント情報は、ＣＳＧセルのＰＳＣ／ＰＣＩを含むことができる。
【０００７】
Ｈ（ｅ）ＮＢとアウトバウンドモビリティとの間のモビリティの手順は、インバウンドモビリティとの間の手順とは異なる。例えば、ＵＭＴＳにおいて、サービング周波数品質が、所定の閾値未満である時に、周波数間測定がトリガされる。ネットワークが、周波数間測定を行う必要があると決定した場合、ネットワークは、制御シグナリングを送信できる。イベントも、その測定と共にシグナルされる。周波数間測定では、レポーティングイベント２ｘを使用できる。例えば、ＵＭＴＳにおいて、測定報告をトリガできるイベントは、イベント２ａ：最適周波数への変更と、イベント２ｂ：現在使用されている周波数の推定品質が、一定の閾値未満であり、かつ使用されていない周波数の推定品質が、一定の閾値を越えていることと、イベント２ｃ：使用されていない周波数の推定品質が、一定の閾値を超えていることと、イベント２ｄ：現在使用されている周波数の推定品質が、一定の閾値未満であることと、イベント２ｅ：使用されていない周波数の推定品質が、一定の閾値未満であることと、イベント２ｆ：現在使用されている周波数の推定品質が、一定の閾値を越えていることを含むことができる。
【０００８】
イベント３ｘ（例えば、３ａ−３ｄ）を、ＲＡＴ間のハンドオーバーに対する測定制御および測定報告に使用できる。
【発明の概要】
【０００９】
ＷＴＲＵの隣接セルがＣＳＧセルであるか、またはＣＳＧセルを含むことで生じる恐れがある無線リンク障害を避けるために行う測定を、ＷＴＲＵに提供できるシステム、方法、および手段が開示される。
【００１０】
ＷＴＲＵの隣接セルは、ＣＳＧセルであるか、またはＣＳＧセルを含む。ＷＴＲＵは、ＣＳＧセルを測定する表示を受信できる。例えば、ＷＴＲＵは、１または複数のＣＳＧセルを測定するための信号、情報などをネットワークから受信できる。ＣＳＧセルは、ネットワークがシグナルしたＰＳＣ  ＣＳＧ領域内にＰＳＣを有することができる。ＷＴＲＵは、ＣＳＧセルと関連する品質を第２の周波数上で測定できる。例えば、ＷＴＲＵは、ＣＳＧセルからの受信信号電力を測定できる。１周波数当たり単一のＣＳＧセルを有する、ＣＳＧ仮想アクティブセットを参照することによって、第２の周波数上でＣＳＧセルを識別できる。単一のＣＳＧセルを、ＰＳＣ  ＣＳＧ領域内の最適セルにすることができる。
【００１１】
ＷＴＲＵによって受信されたＣＳＧセルを測定する表示は、例えば、ＷＴＲＵまたはネットワークによって行われた判断または検出に応答することができる。ＷＴＲＵは、自身がＣＳＧセルに接近していることを判断して、この接近を表示するメッセージをネットワークに送信できる。ＷＴＲＵは、第１の周波数と関連する品質が、第１の閾値未満であることを判断して、測定する必要があることを表示するイベントをトリガできる。ネットワークは、ＷＴＲＵからの情報の有無にかかわらず、測定が必要であることを判断して、測定を行う表示をＷＴＲＵに送信できる。
【００１２】
ＷＴＲＵの隣接セルは、ＣＳＧセルであるか、またはＣＳＧセルを含む。ＷＴＲＵは、第１の周波数と関連する第１の品質が、第１の閾値未満であることを判断できる。例えば、ＷＴＲＵは、自身のサービングセルの信号品質が、無線リンク障害を避けるためにハンドオーバーが必要であることを表示できるレベル未満であることを判断できる。ＷＴＲＵは、測定する必要があることをネットワークに表示するイベントをトリガできる。例えば、無線リンク障害が生じる前にハンドオーバーを行うことができるように、測定されることもある。ＷＴＲＵは、ＣＳＧセルと関連する第２の品質を第２の周波数上で測定できる。ＷＴＲＵは、ＣＳＧ仮想アクティブセットを参照することによって、第２の周波数上でＣＳＧセルを識別できる。ＣＳＧ仮想アクティブセットは、１周波数当たり単一のＣＳＧセルを識別できる。同様の概念は、ＷＴＲＵが、ハンドオーバーの目的でＣＳＧ仮想アクティブセットを測定して保持できる、同じ周波数または使用される周波数に適用可能である。
【００１３】
ＷＴＲＵの隣接セルは、許可されていないＣＳＧセルを含むことができる。ＷＴＲＵは、許可されていないＣＳＧセルの存在を考慮に入れて、測定を行うことができる。ＷＴＲＵは、許可されていないＣＳＧセルを測定から排除できる。ＷＴＲＵは、第１の品質を測定する時、隣接する許可されていないＣＳＧセルにオフセットを付加できる。
【００１４】
ＷＴＲＵは、自身の隣接セルが、ＣＳＧセルであることを判断できる。ＷＴＲＵは、そのような隣接セルの構成を補償できる。
【００１５】
ＷＴＲＵは、第１の閾値を低くすることができる。低い閾値を使用することによって、ＷＴＲＵは、イベントを早くトリガできる。例えば、ＷＴＲＵは、早い段階でイベントをトリガできる。
【００１６】
第１の周波数と関連する第１の品質（例えば、ＷＴＲＵのサービングセルの信号品質）が、第２の閾値未満である時、ＷＴＲＵは、隣接ＣＳＧセルのシステム情報を読み込むことができる。無線リンク障害が生じる前にハンドオーバーをＷＴＲＵに開始させることができる時間内に、隣接ＣＳＧセルのシステム情報が読み込まれるように、第２の閾値を設定できる。
【００１７】
ＷＴＲＵは、自身が、キャンパスシナリオのカバレッジ内にいることを判断でき、および／またはキャンパスＨ（ｅ）ＮＢネットワークに属するＣＳＧセルを測定する。ＷＴＲＵは、ＣＳＧセル間でハンドオーバーが行われるという通知をネットワークに送信できる。
【００１８】
キャンパスシナリオにおいて、ＷＴＲＵは、例えば、ＣＳＧセルにハンドオーバーされるために、マクロセルを無視できる。ＷＴＲＵは、第１の周波数上の第１のＣＳＧセルと関連する第１の品質が、第１の閾値未満であることを判断できる。第１の品質が、第１の閾値未満である時、マクロセルと関連する第２の品質は、第２の閾値を越えるようにできる。例えば、マクロセルは、マクロセルにハンドオーバーを行うことを表示できる単一の品質を有することができる。ＷＴＲＵは、測定する必要があることを表示するイベントをトリガすることによって、マクロセルを無視できる。測定は、第２の周波数（例えば、使用されていない周波数）上の第２のＣＳＧセルと関連する第３の品質を測定でき、そこにおいて第２の周波数上の第２のＣＳＧセルは、１周波数当たり単一のＣＳＧセル（例えば、最適ＣＳＧセル）を有する、ＣＳＧ仮想アクティブセットを参照することによって識別される。ＷＴＲＵは、マクロセルが、無視されたという表示を送信できる。
【図面の簡単な説明】
【００１９】
より詳細な理解は、例として添付図面と併せて与えられた以下の説明から得ることができる。
【００２０】
【図１Ａ】開示された１または複数の実施形態を実装できる、例示的な通信システムの系統図である。
【図１Ｂ】図１Ａに示した通信システム内で使用できる、例示的な無線送信／受信ユニット（ＷＴＲＵ）の系統図である。
【図１Ｃ】図１Ａに示した通信システム内で使用できる、例示的な無線アクセスネットワークおよび例示的なコアネットワークの系統図である。
【図２】複数のＷＴＲＵと、ノードＢと、制御無線ネットワークコントローラ（ＣＲＮＣ）と、サービング無線ネットワークコントローラ（ＳＲＮＣ）と、コアネットワークとを含む、無線通信システムを示す図である。
【図３】図２の無線通信システムのＷＴＲＵとノードＢとの機能的ブロック図である。
【図４】隣接ＣＳＧセルの模範的なシナリオを示す図である。
【図５】ハンドオーバーの模範的な測定方法を示す図である。
【図６】ハンドオーバーの模範的な測定方法を示す図である。
【発明を実施するための形態】
【００２１】
図１から図６は、開示されたシステム、方法および手段を実装できる、模範的な実施形態に関連している。しかしながら、本発明は、模範的な実施形態に関連して説明されてよいが、それらに限定されず、他の実施形態を使用してもよいし、あるいは、本発明から逸脱しない範囲で本発明の同じ機能を実行するために、説明された実施形態に対する変更および付加を行ってもよいことを理解されたい。
【００２２】
以下の説明にあたり、用語「無線送信／受信ユニット（ＷＴＲＵ）」は、ユーザ機器（ＵＥ）、移動局、固定式または移動式加入者ユニット、ページャ、セル電話、携帯情報端末（ＰＤＡ）、コンピュータ、または無線環境で動作可能なその他のタイプのユーザデバイスを含むが、これらに限定されない。以下の説明にあたり、用語「基地局」は、ノードＢ、サイトコントローラ、アクセスポイント（ＡＰ）、または無線環境で動作可能なその他のタイプのインタフェースデバイスを含むことができるが、これらに限定されない。
【００２３】
以下の説明にあたり、用語「信号品質」または「セル品質」は、セルからの信号の品質、例えば、ＷＴＲＵによって行われる１または複数の測定当たりの品質を含むことができるが、これに限定されない。例えば、ＬＴＥの場合、これは、基準信号受信品質（ＲＳＲＱ）または基準信号受信電力（ＲＳＲＰ）に相当する。ＵＭＴＳの場合、これは、共通パイロットチャネル（ＣＰＩＣＨ）の１チップ当たりのエネルギー対帯域内受信電力密度比（Ｅｃ／Ｎｏ）、ＣＰＩＣＨの受信信号コード電力（ＲＳＣＰ）またはパスロスに相当する。
【００２４】
以下の説明にあたり、用語「周波数品質」は、同じ周波数上の異なるセルの品質の組み合わせを含むことができるが、これに限定されない。
【００２５】
以下の説明にあたり、用語、ＣＳＧ  ＩＤは、ＣＳＧ識別子を含むことができるが、これに限定されず、ＣＧＩは、セルグローバル識別子を含むことができるが、これに限定されず、ＳＩは、セルによってブロードキャストされるＳＩ（システム情報）を含むことができるが、これに限定されない。
【００２６】
以下の説明にあたり、用語「許可されていないＣＳＧセル」は、ＣＳＧセルのＣＳＧ  ＩＤが、ＷＴＲＵのホワイトリストに入っていないＣＳＧセルを含むことができるが、これに限定されず、「ＣＳＧセルのＷＴＲＵメンバー」は、ＣＳＧセルのＣＳＧ  ＩＤと一致するＣＳＧ  ＩＤのホワイトリストを有する、ＷＴＲＵを含むことができるが、これに限定されない。
【００２７】
以下の説明にあたり、用語「キャンパスシナリオ」は、実在するキャンパスに限定されない。さらに、「キャンパスシナリオ」は、複数のＣＳＧセルによってカバーされるエリアを含むことができるが、これに限定されない。複数のＣＳＧセルは、マクロセルのカバレッジ内にあってもなくてもよい。キャンパスシナリオの他の例は、例えば、社員が、異なるＣＳＧセルにアクセスできる企業、あるいは旅行者が、例えば、サービスプロバイダに要求された支払いを行った後、空港エリア全域のＣＳＧセルにアクセスできる空港を含むことができる。
【００２８】
図１Ａは、開示された１または複数の実施形態を実装できる例示的な通信システム１００の図である。通信システム１００を、音声、データ、ビデオ、メッセージング、ブロードキャストなどのコンテンツを複数の無線ユーザに提供する、多元接続システムにすることができる。通信システム１００は、無線帯域幅を含むシステムリソースの共有を通じて、複数の無線ユーザがそのようなコンテンツにアクセスするのを可能にする。例えば、通信システム１００は、符号分割多元接続（ＣＤＭＡ）、時分割多元接続（ＴＤＭＡ）、周波数分割多元接続（ＦＤＭＡ）、直交ＦＤＭＡ（ＯＦＤＭＡ）、単一キャリアＦＤＭＡ（ＳＣ−ＦＤＭＡ）などの、１または複数のチャネルアクセス方式を用いることができる。
【００２９】
図１Ａに示すように、通信システム１００は、無線送信／受信ユニット（ＷＴＲＵ）１０２ａ、１０２ｂ、１０２ｃ、１０２ｄと、無線アクセスネットワーク（ＲＡＮ）１０４と、コアネットワーク１０６と、公衆交換電話網（ＰＳＴＮ）１０８と、インターネット１１０と、他のネットワーク１１２とを含むことができるが、開示された実施形態は、任意の数のＷＴＲＵ、基地局、ネットワーク、および／またはネットワーク要素も想定していることを認識されたい。ＷＴＲＵ１０２ａ、１０２ｂ、１０２ｃ、１０２ｄのそれぞれを、無線環境で動作および／または通信するように構成された任意のタイプのデバイスにしてよい。例として、ＷＴＲＵ１０２ａ、１０２ｂ、１０２ｃ、１０２ｄは、無線信号を送信および／または受信するように構成されてもよく、ユーザ機器（ＵＥ）、移動局、固定式または移動式加入者ユニット、ページャ、セル電話、携帯情報端末（ＰＤＡ）、スマートフォン、ラップトップ型コンピュータ、ネットブック、パーソナルコンピュータ、無線センサ、家電製品などを含んでよい。
【００３０】
通信システム１００は、基地局１１４ａと基地局１１４ｂとを含むこともできる。基地局１１４ａ、１１４ｂのそれぞれは、ＷＴＲＵ１０２ａ、１０２ｂ、１０２ｃ、１０２ｄの少なくとも１つとワイヤレスにインタフェースをとって、コアネットワーク１０６、インターネット１１０、および／またはネットワーク１１２などの、１または複数の通信ネットワークへのアクセスを容易にするように構成された任意のタイプのデバイスであってよい。例として、基地局１１４ａ、１１４ｂを、ベーストランシーバ基地局（ＢＴＳ）、ノードＢ、ｅノードＢ、ホームノードＢ、ホームｅノードＢ、サイトコントローラ、アクセスポイント（ＡＰ）、無線ルータなどにしてよい。基地局１１４ａ、１１４ｂはそれぞれ、単一要素として描かれているが、基地局１１４ａ、１１４ｂは、相互接続された任意の数の基地局および／またはネットワーク要素を含んでよいことを認識されたい。
【００３１】
基地局１１４ａを、ＲＡＮ１０４の一部にすることができ、ＲＡＮ１０４は、基地局コントローラ（ＢＳＣ）、無線ネットワークコントローラ（ＲＮＣ）、中継ノードなどの、他の基地局および／またはネットワーク要素（図示せず）を含むこともできる。基地局１１４ａおよび／または基地局１１４ｂを、セル（図示せず）と呼ばれる、特定の地理的領域内で無線信号を送信および／または受信するように構成することができる。セルをセルセクタにさらに分割できる。例えば、基地局１１４ａと関連するセルを、３つのセクタに分割できる。従って、一実施形態において、基地局１１４ａは、３つのトランシーバ、即ち、セルの１セクタ当たり１トランシーバを含むことができる。別の実施形態において、基地局１１４ａは、ＭＩＭＯ（Multiple-input Multiple-output）技術を用いることができるので、セルの１セクタ当たり複数のトランシーバを利用できる。
【００３２】
基地局１１４ａ、１１４ｂは、無線インタフェース１１６を介してＷＴＲＵ１０２ａ、１０２ｂ、１０２ｃ、１０２ｄのうち１または複数と通信でき、無線インタフェース１１６を、適した任意の無線通信リンク（例えば、無線周波数（ＲＦ）、マイクロ波、赤外線（ＩＲ）、紫外線（ＵＶ）、可視光線など）にしてよい。適した任意の無線アクセス技術（ＲＡＴ）を使用して、無線インタフェース１１６を確立できる。
【００３３】
より詳細には、上述のように、通信システム１００を、多元接続システムにすることができ、ＣＤＭＡ、ＴＤＭＡ、ＦＤＭＡ、ＯＦＤＭＡ、ＳＣ−ＦＤＭＡなどの、１または複数のチャネルアクセス方式を用いることができる。例えば、ＲＡＮ１０４内の基地局１１４ａおよびＷＴＲＵ１０２ａ、１０２ｂ、１０２ｃは、広域ＣＤＭＡ（ＷＣＤＭＡ）を使用して無線インタフェース１１６を確立できる、ＵＭＴＳ（Universal Mobile Telecommunications System）ＵＴＲＡ（Terrestrial Radio Access）などの無線技術を実装できる。ＷＣＤＭＡは、高速パケットアクセス（ＨＳＰＡ）および／または発展型ＨＳＰＡ（ＨＳＰＡ＋）などの、通信プロトコルを含むことができる。ＨＳＰＡは、高速ダウンリンクパケットアクセス（ＨＳＤＰＡ）および／または高速アップリンクパケットアクセス（ＨＳＵＰＡ）を含むことができる。
【００３４】
別の実施形態において、基地局１１４ａおよびＷＴＲＵ１０２ａ、１０２ｂ、１０２ｃは、ＬＴＥ（Long Term Evolution）および／またはＬＴＥ−Ａ（LTE Advanced）を使用して無線インタフェース１１６を確立できる、進化型ＵＭＴＳ地上波無線アクセス（Ｅ−ＵＴＲＡ）などの無線技術を実装できる。
【００３５】
その他の実施形態において、基地局１１４ａおよびＷＴＲＵ１０２ａ、１０２ｂ、１０２ｃは、ＩＥＥＥ８０２．１６（即ち、マイクロ波アクセスのための世界規模の相互運用（ＷｉＭＡＸ））、ＣＤＭＡ２０００、ＣＤＭＡ２０００１Ｘ、ＣＤＭＡ２０００ＥＶ−ＤＯ、ＩＳ−２０００（Interim Standard 2000）、ＩＳ−９５（Interim Standard 95）、ＩＳ−８５６（Interim Standard 856）、ＧＳＭ（Global System for Mobile communication）、ＥＤＧＥ（Enhanced Data rates for GSM Evolution）、ＧＳＭ  ＥＤＧＥ（ＧＥＲＡＮ）などの、無線技術を実装できる。
【００３６】
図１Ａの基地局１１４ｂを、例えば、無線ルータ、ホームノードＢ、ホームｅノードＢ、またはアクセスポイントにすることができ、事業所、住宅、車、キャンパスなどの、ローカルエリアで無線接続性を容易にするのに適した任意のＲＡＴを利用してよい。一実施形態において、基地局１１４ｂおよびＷＴＲＵ１０２ｃ、１０２ｄは、無線ローカルエリアネットワーク（ＷＬＡＮ）を確立するＩＥＥＥ８０２．１１などの無線技術を実装できる。別の実施形態において、基地局１１４ｂおよびＷＴＲＵ１０２ｃ、１０２ｄは、無線パーソナルエリアネットワーク（ＷＰＡＮ）を確立するＩＥＥＥ８０２．１５などの無線技術を実装できる。さらに別の実施形態において、基地局１１４ｂおよびＷＴＲＵ１０２ｃ、１０２ｄは、セルベースのＲＡＴ（例えば、ＷＣＤＭＡ、ＣＤＭＡ２０００、ＧＳＭ、ＬＴＥ、ＬＴＥ−Ａなど）を利用して、ピコセルまたはフェムトセルを確立できる。図１Ａに示すように、基地局１１４ｂは、インターネット１１０に直接接続できる。従って、基地局１１４ｂは、コアネットワーク１０６経由でインターネット１１０にアクセスする必要がない。
【００３７】
ＲＡＮ１０４は、コアネットワーク１０６と通信でき、コアネットワーク１０６は、音声、データ、アプリケーション、および／またはＶｏＩＰ（Voice over Internet Protocol）サービスを、ＷＴＲＵ１０２ａ、１０２ｂ、１０２ｃ、１０２ｄのうち１または複数に提供するように構成された任意のタイプのネットワークであってよい。例えば、コアネットワーク１０６は、呼び制御、課金サービス、移動体の位置ベースのサービス、プリペイド電話、インターネット接続性、映像配信などを提供でき、および／またはユーザ認証などのハイレベルのセキュリティ機能を実行できる。図１Ａに示していないが、ＲＡＮ１０４および／またはコアネットワーク１０６を、ＲＡＮ１０４と同じＲＡＴまたは異なるＲＡＴを用いた、他のＲＡＴとの直接または間接通信にすることができることを認識されたい。例えば、コアネットワーク１０６は、Ｅ−ＵＴＲＡ無線技術を利用するＲＡＮ１０４に接続されることに加えて、ＧＳＭ無線技術を用いた別のＲＡＮ（図示せず）と通信することもできる。
【００３８】
コアネットワーク１０６は、ＷＴＲＵ１０２ａ、１０２ｂ、１０２ｃ、１０２ｄが、ＰＳＴＮ１０８、インターネット１１０、および／または他のネットワーク１１２にアクセスするためのゲートウェイとして機能することもできる。ＰＳＴＮ１０８は、ＰＯＴＳ（Plain Old Telephone Service）を提供する回線交換電話網を含むことができる。インターネット１１０は、ＴＣＰ／ＩＰインターネットプロトコルスイートにおけるＴＣＰ（Transmission Control Protocol）、ＵＤＰ（User Datagram Protocol）およびＩＰ（Internet Protocol）などの、一般的な通信プロトコルを使用して相互接続されたコンピュータネットワークおよびデバイスのグローバルシステムを含むことができる。ネットワーク１１２は、他のサービスプロバイダによって所有および／または運営される有線または無線通信ネットワークを含むことができる。例えば、ネットワーク１１２は、ＲＡＮ１０４と同じＲＡＴまたは異なるＲＡＴを用いることができる、１または複数のＲＡＮに接続された別のコアネットワークを含むことができる。
【００３９】
通信システム１００内のＷＴＲＵ１０２ａ、１０２ｂ、１０２ｃ、１０２ｄのいくつかまたはすべては、マルチモード能力を含むことができる。即ち、ＷＴＲＵ１０２ａ、１０２ｂ、１０２ｃ、１０２ｄは、異なる無線リンクを介して異なる無線ネットワークと通信するための複数のトランシーバを含むことができる。例えば、図１Ａに示したＷＴＲＵ１０２ｃを、セルベースの無線技術を用いることができる基地局１１４ａと、ＩＥＥＥ８０２無線技術を用いることができる基地局１１４ｂとの通信を行うように構成できる。
【００４０】
図１Ｂは、例示的なＷＴＲＵ１０２の系統図である。図１Ｂに示すように、ＷＴＲＵ１０２は、プロセッサ１１８と、トランシーバ１２０と、送信／受信要素１２２と、スピーカ／マイクロフォン１２４と、キーパッド１２６と、ディスプレイ／タッチパッド１２８と、ノンリムーバブルメモリ１０６と、リムーバブルメモリ１３２と、電源１３４と、全地球測位システム（ＧＰＳ）チップセット１３６と、他の周辺機器１３８とを含むことができる。ＷＴＲＵ１０２は、実施形態と整合性を保った上で、上述の要素の任意の組み合わせを含んでよいことを認識されたい。
【００４１】
プロセッサ１１８を、汎用プロセッサ、専用プロセッサ、従来型プロセッサ、デジタル信号プロセッサ（ＤＳＰ）、複数のマイクロプロセッサ、ＤＳＰコアと連動する１または複数のマイクロプロセッサ、コントローラ、マイクロコントローラ、ＡＳＩＣ（Application Specific Integrated Circuit）、ＦＰＧＡ（Field Programmable Gate Array）回路、その他のタイプの集積回路（ＩＣ）、状態機械などにすることができる。プロセッサ１１８は、信号コーディング、データ処理、電力制御、入力／出力処理、および／またはＷＴＲＵ１０２が無線環境で動作するのを可能にするその他の機能性を実行できる。プロセッサ１１８をトランシーバ１２０に結合でき、トランシーバ１２０を送信／受信要素１２２に結合できる。図１Ｂでは、プロセッサ１１８とトランシーバ１２０とを別個のコンポーネントとして描いているが、プロセッサ１１８とトランシーバ１２０とを電子パッケージまたはチップ内にまとめることができることを認識されたい。
【００４２】
送信／受信要素１２２を、無線インタフェース１１６を介して基地局（例えば、基地局１１４ａ）と信号の送受信を行うように構成できる。例えば、一実施形態において、送信／受信要素１２２を、ＲＦ信号を送信および／または受信するように構成されたアンテナにすることができる。別の実施形態において、送信／受信要素１２２を、例えば、ＩＲ、ＵＶ、または可視光線の信号を送信および／または受信するように構成された発光素子／受光素子にすることができる。さらに別の実施形態において、送信／受信要素１２２を、ＲＦ信号と光信号との両方を送受信するように構成できる。送信／受信要素１２２を、無線信号の任意の組み合わせを送信および／または受信するように構成できることを認識されたい。
【００４３】
さらに、送信／受信要素１２２は、単一要素として図１Ｂに描かれているが、ＷＴＲＵ１０２は、任意の数の送信／受信要素１２２を含んでよい。より詳細には、ＷＴＲＵ１０２は、ＭＩＭＯ技術を用いることができる。従って、一実施形態において、ＷＴＲＵ１０２は、インタフェース１１６を介して無線信号を送受信するための２または３以上の送信／受信要素１２２（例えば、複数のアンテナ）を含むことができる。
【００４４】
トランシーバ１２０を、送信／受信要素１２２によって送信される信号を変調して、送信／受信要素１２２によって受信された信号を復調するように構成できる。上述のように、ＷＴＲＵ１０２は、マルチモード能力を有することができる、従って、トランシーバ１２０は、ＷＴＲＵ１０２が、例えば、ＵＴＲＡおよびＩＥＥＥ８０２．１１などの、複数のＲＡＴ経由で通信するのを可能にするための複数のトランシーバを含むことができる。
【００４５】
ＷＴＲＵ１０２のプロセッサ１１８を、スピーカ／マイクロフォン１２４、キーパッド１２６、および／またはディスプレイ／タッチパッド１２８（例えば、液晶ディスプレイ（ＬＣＤ）表示ユニットまたは有機発光ダイオード（ＯＬＥＤ）表示ユニット）に結合して、それらからユーザ入力データを受信できる。プロセッサ１１８は、スピーカ／マイクロフォン１２４、キーパッド１２６、および／またはディスプレイ／タッチパッド１２８にユーザデータを出力することもできる。さらに、プロセッサ１１８は、ノンリムーバブルメモリ１０６および／またはリムーバブルメモリ１３２などの、適した任意のタイプのメモリからの情報にアクセスして、それらのメモリにデータを記憶できる。ノンリムーバブルメモリ１０６は、ＲＡＭ（Random Access Memory）、ＲＯＭ（Read Only Memory）、ハードディスク、またはその他のタイプのメモリ記憶デバイスを含むことができる。リムーバブルメモリ１３２は、ＳＩＭ（Subscriber Identity Module）カード、メモリスティック、ＳＤ（Secure digital）メモリカードなどを含むことができる。他の実施形態において、プロセッサ１１８は、サーバまたはホームコンピュータ（図示せず）などの、物理的にＷＴＲＵ１０２上に置かれてないメモリからの情報にアクセスして、それらのメモリにデータを記憶できる。
【００４６】
プロセッサ１１８は、電源１３４から電力を受け取ることができ、その電力をＷＴＲＵ１０２内の他のコンポーネントに分散および／または制御するように構成されることができる。電源１３４は、ＷＴＲＵ１０２に電力供給するのに適した任意のデバイスであってよい。例えば、電源１３４は、１または複数の乾電池（例えば、ニッケルカドミウム（ＮｉＣｄ）、ニッケル亜鉛（ＮｉＺｎ）、ニッケル水素（ＮｉＭＨ）、リチウムイオン（Ｌｉ−ｉｏｎ）など）、太陽電池、燃料電池などを含むことができる。
【００４７】
プロセッサ１１８をＧＰＳチップセット１３６に結合することもでき、ＧＰＳチップセット１３６は、ＷＴＲＵ１０２の現在の位置に関する位置情報（例えば、経緯度）を提供するように構成されることができる。追加または代替として、ＧＰＳチップセット１３６からの情報により、ＷＴＲＵ１０２は、基地局（例えば、基地局１１４ａ、１１４ｂ）から無線インタフェース１１６を介して位置情報を受信し、および／または近くにいる２または３以上の基地局から受信される信号のタイミングに基づいて自身の位置を判断できる。ＷＴＲＵ１０２は、実施形態と整合性を保った上で、適した任意の位置決定方法によって位置情報を取得してよいことを認識されたい。
【００４８】
プロセッサ１１８をさらに、他の周辺機器１３８に結合することができ、周辺機器１３８は、付加的な特徴、機能性および／または有線もしくは無線接続性を提供する、１または複数のソフトウェアモジュールおよび／またはハードウェアモジュールを含むことができる。例えば、周辺機器１３８は、加速度計、電子コンパス、衛星トランシーバ、デジタルカメラ（写真またはビデオ用）、ＵＳＢ（Universal Serial Bus）ポート、振動デバイス、テレビトランシーバ、ハンズフリーヘッドセット、Bluetooth（登録商標）モジュール、周波数変調（ＦＭ）無線ユニット、デジタル音楽プレーヤ、メディアプレーヤ、ビデオゲームプレーヤモジュール、インターネットブラウザなどを含むことができる。
【００４９】
図１Ｃは、実施形態に従ったＲＡＮ１０４およびコアネットワーク１０６の系統図である。上述のように、ＲＡＮ１０４は、ＵＴＲＡ無線技術を用いて、無線インタフェース１１６を介してＷＴＲＵ１０２ａ、１０２ｂ、１０２ｃと通信できる。ＲＡＮ１０４は、コアネットワーク１０６とも通信できる。図１Ｃに示すように、ＲＡＮ１０４は、ノードＢ１４０ａ、１４０ｂ、１４０ｃを含むことができ、それらのノードＢは、無線インタフェース１１６を介してＷＴＲＵ１０２ａ、１０２ｂ、１０２ｃと通信するための、１または複数のトランシーバをそれぞれ含むことができる。ノードＢ１４０ａ、１４０ｂ、１４０ｃを、ＲＡＮ１０４内の特定のセル（図示せず）とそれぞれ関連付けることができる。ＲＡＮ１０４は、ＲＮＣ１４２ａ、１４２ｂを含むこともできる。ＲＡＮ１０４は、実施形態と整合性を保った上で、任意の数のノードＢおよびＲＮＣを含んでよいことを認識されたい。
【００５０】
図１Ｃに示すように、ノードＢ１４０ａ、１４０ｂは、ＲＮＣ１４２ａと通信できる。さらに、ノードＢ１４０ｃは、ＲＮＣ１４２ｃと通信できる。ノードＢ１４０ａ、１４０ｂ、１４０ｃは、Ｉｕｂインタフェース経由でＲＮＣ１４２ａ、１４２ｂとそれぞれ通信できる。ＲＮＣ１４２ａ、１４２ｂは、Ｉｕｒインタフェース経由で互いに通信できる。各ＲＮＣ１４２ａ、１４２ｂを、それぞれに接続されているノードＢ１４０ａ、１４０ｂ、１４０ｃを制御するように構成できる。さらに、ＲＮＣ１４２ａ、１４２ｂのそれぞれを、アウターループ電力制御、ロード制御、許可制御、パケットスケジューリング、ハンドオーバー制御、マクロダイバーシティ、セキュリティ機能、データ暗号化などの、他の機能性を実行またはサポートするように構成できる。
【００５１】
図１Ｃに示したコアネットワーク１０６は、ＭＧＷ（Media Gateway）１４４、ＭＳＣ（Mobile Switching Center）１４６、ＳＧＳＮ（Serving GPRS Support Node）１４８、および／またはＧＧＳＮ（Gateway GPRS Support Node）１５０を含むことができる。上述のそれぞれの要素は、コアネットワーク１０６の一部として描かれているが、それらの要素のいずれも、コアネットワーク通信業者以外の事業体（entity）によって所有および／または運営されてよいことを認識されたい。
【００５２】
ＲＡＮ１０４内のＲＮＣ１４２ａを、ＩｕＣＳインタフェース経由でコアネットワーク１０６内のＭＳＣ１４６に接続できる。ＭＳＣ１４６をＭＧＷ１４４に接続できる。ＭＳＣ１４６およびＭＧＷ１４４は、ＷＴＲＵ１０２ａ、１０２ｂ、１０２ｃに、ＰＳＴＮ１０８などの回線交換ネットワークへのアクセスを提供して、ＷＴＲＵ１０２ａ、１０２ｂ、１０２ｃと従来の固定回線通信デバイスとの間の通信を容易にすることができる。
【００５３】
ＲＡＮ１０４内のＲＮＣ１４２ａを、ＩｕＰＳインタフェース経由でコアネットワーク１０６内のＳＧＳＮ１４８に接続することもできる。ＳＧＳＮ１４８をＧＧＳＮ１５０に接続できる。ＳＧＳＮ１４８およびＧＧＳＮ１５０は、ＷＴＲＵ１０２ａ、１０２ｂ、１０２ｃに、インターネット１１０などのパケット交換ネットワークへのアクセスを提供して、ＷＴＲＵ１０２ａ、１０２ｂ、１０２ｃとＩＰベースの（IP-enabled）デバイスとの間の通信を容易にすることができる。
【００５４】
上述のように、コアネットワーク１０６は、ネットワーク１１２に接続することもでき、ネットワーク１１２は、他のサービスプロバイダによって所有および／または運営される他の有線または無線ネットワークを含むことができる。
【００５５】
図２は、複数のＷＴＲＵ２１０と、ノードＢ２２０と、ＣＲＮＣ（Controlling Radio Network Controller）２３０と、ＳＲＮＣ（Serving Radio Network Controller）２４０と、コアネットワーク２５０とを含む、模範的な無線通信システム２００を示す。ノードＢ２２０およびＣＲＮＣ２３０をまとめてＵＴＲＡＮと呼ぶことができる。
【００５６】
図２に示すように、ＷＴＲＵ２１０は、ノードＢ２２０と通信でき、ノードＢ２２０は、ＣＲＮＣ２３０およびＳＲＮＣ２４０と通信できる。図２には、３つのＷＴＲＵ２１０、１つのノードＢ２２０、１つのＣＲＮＣ２３０、および１つのＳＲＮＣ２４０を示しているが、無線デバイスと有線デバイスとの任意の組み合わせを無線通信システム２００に含めてよいことに留意されたい。
【００５７】
図３は、図２の無線通信システム２００のＷＴＲＵ２１０とノードＢ２２０との機能的ブロック図３００である。図３に示すように、ＷＴＲＵ２１０は、ノードＢ２２０と通信でき、双方を、接続モードのＨ（ｅ）ＮＢアウトバウンドモビリティおよびＨ（ｅ）ＮＢ間モビリティを評価し、かつ測定を報告する方法を行うように構成できる。
【００５８】
典型的なＷＴＲＵに見られるコンポーネントに加えて、ＷＴＲＵ２１０は、プロセッサ３１５と、レシーバ３１６と、トランスミッタ３１７と、メモリ３１８と、アンテナ３１９とを含むことができる。メモリ３１８は、オペレーティングシステム、アプリケーションなどを含む、ソフトウェアを記憶するために提供される。プロセッサ３１５は、単独またはソフトウェアと連動して、接続モードのＨ（ｅ）ＮＢアウトバウンドモビリティおよびＨ（ｅ）ＮＢ間モビリティを評価し、かつ測定を報告する方法を行うために提供される。レシーバ３１６およびトランスミッタ３１７は、プロセッサ３１５と通信できる。アンテナ３１９は、レシーバ３１６とトランスミッタ３１７との両方と通信して、無線データの送受信を容易にすることができる。
【００５９】
典型的なノードＢに見られるコンポーネントに加えて、ノードＢ２２０は、プロセッサ３２５と、レシーバ３２６と、トランスミッタ３２７と、メモリ３２８と、アンテナ３２９とを含むことができる。プロセッサ３２５を、接続モードのＨ（ｅ）ＮＢアウトバウンドモビリティおよびＨ（ｅ）ＮＢ間モビリティを評価し、かつ測定を報告する方法を行うように構成できる。レシーバ３２６およびトランスミッタ３２７は、プロセッサ３２５と通信できる。アンテナ１２９は、レシーバ３２６とトランスミッタ３２７との両方と通信して、無線データの送受信を容易にすることができる。
【００６０】
ＷＴＲＵは、無線リンク障害が生じる前に別のセルにハンドオーバーするために、他の周波数または他の無線アクセス技術（ＲＡＴ）を測定する必要があることを表示するイベントを、ネットワークにシグナルするように構成されることができる。許可されていないＣＳＧセルを含む、同じ周波数上の隣接セルを考慮に入れる周波数品質が、所定の閾値を越えたままでは、ＵＭＴＳの２ｄなどの、既存のイベントは、トリガされない。これは、ＷＴＲＵ４４０が、許可されたＣＳＧセル４２０と許可されていないＣＳＧセル４３０とを含む、隣接セルを有することを示した、図４を参照して理解される。
【００６１】
例として、サービング周波数上の少なくともいくつかの隣接セルは、ＣＳＧセルとする。ＷＴＲＵは、自身が隣接ＣＳＧセルのメンバーであるかどうかを判断するように構成されることができる。ＷＴＲＵは、自身が隣接ＣＳＧセルのメンバーではないことを判断できる。例えば、ＷＴＲＵは、自身のサービングセル以外のセルに対するフィンガープリントマッチがない（例えば、ＷＴＲＵのサービングセルは、ＣＳＧセルであり、隣接セルは、許可されていないＣＳＧセルである）ことを判断できるか、または別の方法（例えば、そのＷＴＲＵが許可されたＣＳＧセルのリストを受信する）を使用することによって判断できる。ＷＴＲＵが、隣接ＣＳＧセルのメンバーではなく、かつサービングセルの品質が、所定の閾値未満である場合、無線リンク障害が生じる危険にさらされる。
【００６２】
ＷＴＲＵの隣接セルがＣＳＧセルであるか、またはＣＳＧセルを含むことで生じる恐れがある無線リンク障害を避けるために行う測定を、ＷＴＲＵに提供できるシステム、方法、および手段が開示される。模範的な実装は、以下のうち１または複数を含むことができる。
【００６３】
ＷＴＲＵの隣接セルは、ＣＳＧセルであるか、またはＣＳＧセルを含む。図５は、ハンドオーバーの模範的な測定方法を示す。５０３において、ＷＴＲＵは、第１の周波数と関連する信号品質が、閾値未満であることを判断できる。例えば、ＷＴＲＵは、自身のサービングセルの信号品質が、無線リンク障害を避けるためにハンドオーバーが必要であることを表示できるレベル未満であることを判断できる。５０５において、ＷＴＲＵは、測定する必要があることをネットワークに表示する測定イベントをトリガできる。例えば、無線リンク障害が生じる前にハンドオーバーを行うことができるように、測定されることもある。５０６において、ネットワークは、個別または複数の周波数レイヤ上で、ＣＳＧセルを含む測定の新しいセットをＷＴＲＵに構成することができ、その周波数レイヤは、指定されたＰＳＣスプリット内で自身のＰＳＣを有する。５０７において、ＷＴＲＵは、ＣＳＧセル用に指定された周波数レイヤ上で測定を行うことができる。５０９において、ＣＳＧセル(複数)が、構成されたレポーティング領域内にいるのであれば、ＣＳＧ仮想アクティブセットを、例えば、最適ＣＳＧセル（複数）に更新できる。ＣＳＧ仮想アクティブセットのサイズが１に設定された場合、そのＣＳＧ仮想アクティブセットは、１セルを有し、そのセルは、最適ＣＳＧセルになることができる。最適ＣＳＧセルは、周波数上で、例えば、パスロス、受信信号電力、ＥＣＮＯ、ＲＳＣＰなどのうち１または複数を使用した最適測定を用いて、ＣＳＧセルとして識別されることができる。５１１において、付加的な周波数（図示せず）を測定するかどうかを判断できる。測定が行われる場合、方法は、５０７に進む。測定が行われない場合、方法は、５１３に進む。５１３において、信号品質測定に基づいてＣＳＧセルへのハンドオーバーを行うことができる。
【００６４】
図６は、ハンドオーバーの模範的な測定方法を示す。６０５において、接近表示は、例えば、フィンガープリントマッチに基づくＷＴＲＵのホワイトリストによって、ＷＴＲＵがＣＳＧセルの近くにいることをネットワークに通知する、そのＷＴＲＵから受信されることができる。６０６において、ネットワークは、ＷＴＲＵに新しい測定を構成することができる。６０７において、ＷＴＲＵは、指定された周波数上でＣＳＧセルの信号品質を測定できる。６０９において、ＣＳＧ仮想アクティブセットを、レポーティング領域内にいる最適ＣＳＧセル（複数）に更新できる。ＣＳＧ仮想アクティブセットのサイズが１に設定された場合、そのＣＳＧ仮想アクティブセットは、１セルを有し、そのセルは、最適ＣＳＧセルになることができる。６１１において、ネットワークから受信した測定構成に基づいて、付加的な周波数を測定するかどうかを決定できる。方法は、６１３に進み、ＷＴＲＵによるハンドオーバー手順を開始できる。図６に提示した方法は、例えば、ネットワークが、ＷＴＲＵに何も通知せずにネットワーク自身の基準で測定の開始を決定した場合、直接６０６から開始できる。
【００６５】
ＷＴＲＵは、許可されていないＣＳＧセルを考慮せずに、周波数品質推定を生成するように構成されることができる。ＷＴＲＵは、例えば、周波数仮想アクティブセットの測定評価で、許可されていないＣＳＧセルを排除できる。ＷＴＲＵは、周波数仮想アクティブセットによる許可されていないＣＳＧセルの排除を、他の周波数イベント２ｘにも適用できる。ＷＴＲＵは、イベント２ｘのそのような排除の適用に加えてまたはそれとは別個に、３ａなどのＲＡＴ間イベント３ｘにその排除を適用することもできる。ＷＴＲＵは、周波数仮想アクティブセットの許可されていないＣＳＧセル部分を考慮することができるが、イベント２ｄの周波数品質推定、あるいは任意の周波数間イベント２ｘまたはＲＡＴ間イベント３ｘの周波数品質推定の定義を更新して、許可されていないＣＳＧセルの測定結果をセルの測定結果の合計に入れないように表示させることができる。周波数品質推定を、以下でさらに詳しく説明する式１を使用して計算できる。ネットワークが、特定の周波数（使用されていない周波数）上でＣＳＧセルが測定されるようにシグナルした場合、式２を、ネットワークがシグナルしたＨ（ｅ）ＮＢセルとして説明されるパラメータおよび本明細書で指定されるパラメータに適用できる。指定された式を使用して計算されたＣＳＧセルの品質が、要求された時間内に条件（例えば、品質の閾値）を満たす場合、イベントを送信できる。
【００６６】
イベント２ｄの基準を以下のように行うことができる。ＷＴＲＵは、イベント２ｄの基準が合っているかどうかを判断するのに使用される式を入れたりはずしたりする際に使用される既存の絶対閾値に、隣接する許可されていない各ＣＳＧセルに対するオフセットを付加するように構成されることができる。イベント２ｄがトリガされるかどうかを判断する間、オフセットは、許可されていないＣＳＧセルの影響を減らすことができる。オフセットは、許可されていない各ＣＳＧセルに対して一意であってよいし、１ＣＳＧ当たりに一意であってよいし（複数のセルが同じＣＳＧを有する場合があることを考慮して）、あるいは許可されていないＣＳＧセル間で異なってもよい。オフセットを、ＷＴＲＵに実装される固定値、またはネットワークによってＲＲＣメッセージ（例えば、測定制御）でシグナルされるオフセットにすることができる。オフセットを、セルによってＳＩブロードキャストの一部にすることができる。これを、他の周波数間イベント２ｘや、３ａなどのＲＡＴ間イベント３ｘに適用できる。
【００６７】
サービングセルの品質が所定の閾値未満である時、ＵＭＴＳ周波数内イベント（例えば、イベント１Ｋ）または周波数間イベント（例えば、イベント２ｇ）を付加し、かつトリガできる。Ｈ（ｅ）ＮＢセルは、ＷＴＲＵアクティブセットの一部になることができないので、周波数内イベントを、例えば、ＣＳＧセルの場合に使用できる。ネットワークがこのイベント１Ｋまたはイベント２ｇを受信する時、ネットワークは、ＷＴＲＵが周波数間測定またはＲＡＴ間測定を行う必要があることを判断でき、その判断に従ってＷＴＲＵを構成できる。ネットワークは、周波数内イベントをＷＴＲＵから受信しないことに一部基づいて、ＷＴＲＵが、周波数間測定またはＲＡＴ間測定を行う必要があることを判断できる。周波数内イベントは、周波数内隣接セルの品質がサービングセルよりも良いか、または周波数内隣接セルの品質が所定の閾値を超えていることを表示する。
【００６８】
ＷＴＲＵは、ＣＳＧセルに固有のイベントのタイプを測定報告で送信でき、またはＷＴＲＵは、サービングセル上の隣接ＣＳＧセルへのアクセスが許可されないので、他の周波数または他のＲＡＴを測定する必要があることをネットワークに通知するＲＲＣメッセージを送信できる。
【００６９】
ＷＴＲＵは、信号（例えば、測定におけるＣＳＧ接近表示タイプまたは接近表示メッセージ）を再使用して、他の周波数または他のＲＡＴを測定することをネットワークに通知できる。ＷＴＲＵは、たとえ自身の周辺に許容できるＣＳＧセルが存在しても、そのＷＴＲＵは、そのＣＳＧセルのメンバーでないので、この信号を使用できる。ＷＴＲＵは、列挙値を「leaving」に設定することができ、および／または情報要素（ＩＥ）を、「ＣＳＧ接近表示」タイプと接近表示メッセージとに付加できる。情報要素を、例えば、NeighborCSGsNotAllowedと呼ばれる列挙、または別の名が付いた別のタイプのフラグにすることができる。ＷＴＲＵは、隣接ＣＳＧセルへのアクセスが許可されないことを判断した時、許容できる品質の信号を有する隣接マクロセルがない場合、および／またはサービングセルの品質が所定の閾値未満である時に、ＷＴＲＵは、そのＩＥをＴＲＵＥに設定するように構成されることができる。
【００７０】
ＷＴＲＵが、自身の隣接ＣＳＧセルのメンバーであるかどうかを判断していない場合、およびＣＳＧセルの品質を含む、現在の周波数の推定された品質が、所定の閾値未満である場合、ＷＴＲＵは、自身の隣接ＣＳＧセルが許可されるかどうかを識別する情報をネットワークから要求できる。この要求を、ＲＲＣメッセージ（例えば、測定制御）で送信できる。ネットワークは、このメッセージを受信でき、ＣＳＧ  ＩＤおよびＷＴＲＵがメンバーであるかないかを判断するために、ＷＴＲＵに自身の隣接ＣＳＧセルのＳＩを読み込むように命じることができる。ネットワークは、ＷＴＲＵの隣接セルのＣＳＧ  ＩＤを判断でき、ＷＴＲＵがどの隣接ＣＳＧセルのメンバーであるかをＷＴＲＵに表示できる。
【００７１】
ＷＴＲＵが、ＣＳＧセルによってカバーされるような位置にいるが、他のセルによってカバーされていない（例えば、マクロセルまたはハイブリッドセルによってカバーされていない）場合、ＷＴＲＵは、あるＣＳＧセルから別のＣＳＧセルへ素早くハンドオーバーするように構成されることができる。ＷＴＲＵは、前もって自身がメンバーであるＣＳＧセルを判断することができない。許可されたＣＳＧセルを見つける前に、複数のＣＳＧセルのＳＩを取得することを試みる間に、ＷＴＲＵは、無線リンク障害を経験する場合もある。
【００７２】
ＷＴＲＵは、所定の時間またはイベントにおいて、ネットワークへの測定イベントをトリガするように構成されることができる。例えば、ＷＴＲＵは、すべての隣接セルがＣＳＧセルであると判断した時（例えば、セルによってブロードキャストされたＰＳＣ／ＰＣＩ領域を使用して、検出されたＰＳＣ／ＰＣＩがその領域の一部であるかどうかをチェックすることによって判断する）、イベントをトリガできる。ＷＴＲＵは、ネットワークによってシグナルされた、トリガの基準がサービングセルに対して合うかどうかを評価する閾値を直接使用する代わりに、既存のイベントを再使用するように構成されることができる。例えば、ＷＴＲＵは、ＵＭＴＳ周波数内イベント１ｘ（例えば、１ｆ）、または周波数間イベント２ｘ（例えば、２ｄまたは２ｂ）、ＲＡＴ間イベント３ｘ（例えば、イベント３ａ）、あるいはＬＴＥイベント用のＡｘおよびＢｘ（例えば、イベントＡ２、Ａ５またはＢ２）を再使用できる。サービングセルの品質が所定の閾値未満であるかどうかを判断する際、ＷＴＲＵは、サービングセルの品質を所定の期間許容できる状態にしたまま、その閾値にオフセットを付加して、ＣＳＧハンドオーバー評価手順を開始することができる。ＣＳＧセル用の新しいタイプの測定イベントまたは新しいＲＲＣメッセージを使用でき、それらは、サービングセルの品質が所定の閾値未満である時、および隣接セルが閉域ＣＳＧセルである時に、ＷＴＲＵによって送信されることができる。ネットワークは、ＷＴＲＵがアクセスを許可されているＣＳＧセルを見つける前に、いくつかのＣＳＧセルのＳＩを読み込むための時間を、ＷＴＲＵが事前に決められるような閾値を選択できる。つまり、その手順を開始するためにあらかじめ閾値を上げることができる。
【００７３】
ＷＴＲＵからイベントを受信した後、ネットワークは、ＷＴＲＵに隣接するＣＳＧセルのＳＩを読み込んで、ネットワークに報告するようにＷＴＲＵを構成することができる。ネットワークは、許可されたＣＳＧセルへのハンドオーバー手順を開始できる。他のどのセルも、ＷＴＲＵの周辺で許可されていない場合、ＷＴＲＵが別のエリアへの移動を決めるために、ＷＴＲＵがサービスからはずれる前に、この状況をユーザに通知できる。これは、ＷＴＲＵ  ＲＲＣが、どの隣接ＣＳＧセルもこのＷＴＲＵに許可されていないことを表示するメッセージをＷＴＲＵの非アクセス層（ＮＡＳ）に送信することによって達成される。ＷＴＲＵ  ＲＲＣは、隣接ＣＳＧセルのＳＩを読み込んで、どの隣接ＣＳＧセルもＷＴＲＵに許可されなかったことを判断した後に、この表示を送信できる。ＷＴＲＵが測定イベントをネットワークに送信した後、またはネットワークが、どのＣＳＧセルも現在のサービングＣＳＧセルの周辺で許可されていないこと、およびサービングセルの品質が所定の閾値未満であることをユーザに通知するようにＷＴＲＵに要求するメッセージを送信した後に、ＷＴＲＵもこの表示を送信できる。ユーザ通知は、ＷＴＲＵ上に警告を表示すること、またはその他の方法（例えば、ユーザが現在音声サービスを使用しているのであれば、アラーム音）を含むことができるが、これらに限定されない。
【００７４】
２つの異なるタイプの閾値が使用される。サービングセルの品質が、所定の閾値未満（例えば、セル機能が弱まってハンドオーバーが必要であることをネットワークに表示できない）である時、閾値＿２と呼ばれる第１の閾値を使用して、測定イベントをトリガできる。閾値＿１と呼ばれる第２の閾値は、閾値＿２よりも高くすることができる。第２の閾値を使用して、隣接ＣＳＧセルのＳＩを取得する必要がある（例えば、サービングセルの品質が低下する場合）ことをネットワークに表示する測定イベントをトリガできる。閾値＿２を、ネットワークによってＲＲＣメッセージ（例えば、測定制御またはRRCConnectionReconfigurationメッセージ）内に構成できる。
【００７５】
ＷＴＲＵは、隣接ＣＳＧセルのＳＩを自立的に読み込んで、ＷＴＲＵがそれらのセルのいずれかのメンバーであるかどうかを判断するように構成されることができる。これは、ＷＴＲＵのサービングセルの品質が所定の閾値未満であり、かつ隣接セルが閉域ＣＳＧセルである（例えば、サービングセルのＰＳＣ／ＰＣＩがＣＳＧ  ＰＳＣ／ＰＣＩ領域（複数）内である）時にトリガされることができる。記憶されたＳＩは、所定の期間有効にでき、および／またはひとたび異なるＣＳＧセル上でハンドオーバーが生じる時に検出されることができる。ＷＴＲＵがＣＳＧセルのエリアからはずれる時、記憶されたＳＩを検出できる。記憶されたＳＩは、ＣＳＧ個別情報（例えば、セル識別子、ＣＧＩ、ＣＳＧ  ＩＤ、ＣＳＧへのメンバシップなど）を含むことができ、他のタイプの情報を備えることもできる。ＳＩが読み込まれる際、ＷＴＲＵは、ハンドオーバーの評価のためにネットワークに送信される情報を記憶できる。ネットワークが、ＷＴＲＵにＳＩ  ＣＳＧ情報を提供するように要求する際、ＷＴＲＵは、ＳＩを再読み込みするように要求されず、記憶されたＳＩをネットワークに送信する。ＷＴＲＵは、ＰＳＣ／ＰＣＩと併せて、ＣＳＧ  ＩＤまたはメンバシップ状況（例えば、メンバーであるかメンバーでないか）を記憶して、ＷＴＲＵが、自身がアクセスを許可されるＣＳＧセルを前もって判断できるように構成されることができる。ＷＴＲＵは、ネットワークによって要求される時、最新のＳＩを取得するために、許可されたＣＳＧセルのＳＩを再度読み込むように構成されることもできる。これは、ＷＴＲＵのメモリ使用量を減らすことができるが、バッテリー使用量は、最初にＷＴＲＵがＣＳＧセルのＳＩを読み込むＳＩ  ＣＳＧフィールドをすべて記憶することに比べて増す。ＣＳＧ隣接セルのＳＩを記憶するＷＴＲＵ変数を付加できる。例えば、ＵＭＴＳにおいて、この変数は、NEIGHBOR_CSG_CELL_SIと呼ばれ、ＬＴＥにおいて、この変数は、NeighborCsgCellsSiと呼ばれる。既存のＷＴＲＵ変数を使用して、付加的フィールドに付加してもよい。例えば、ＵＭＴＳにおいて、そのようなフィールドに、CELL_INFO_LIST、CELL_INFO_CSG_LISTを付加でき、あるいは別のＷＴＲＵ変数を付加できる。ＬＴＥにおいて、そのようなフィールドに、既存の変数VarMeasConfig、VarMeasReportListを付加でき、あるいは別のＷＴＲＵ変数を付加できる。新しいＷＴＲＵ変数または既存のＷＴＲＵ変数が付加されるフィールドは、ＣＳＧ  ＩＤ、そのＣＳＧへのＷＴＲＵメンバシップ状況（例えば、メンバーであるかメンバーでないか）、ＵＭＴＳのセル識別子またはＬＴＥのＣＧＩまたは同等の情報、ＰＳＣ／ＰＣＩ、あるいはＣＳＧセルの信号品質のうちの１または複数の組み合わせを含むことができる。
【００７６】
ＷＴＲＵは、自身がアクセスを許可された隣接ＣＳＧセルの識別子を判断した場合、ＷＴＲＵは、許可されていないＣＳＧセルのＳＩを読み込まず、それらの許可されたＣＳＧセルのＳＩを読み込むように構成されることができる。ネットワークは、制御メッセージのこの機能を使用して、ＷＴＲＵに権限を与えたり、稼動または停止させたりできる。制御メッセージをＲＲＣメッセージ（例えば、測定制御またはRRCConnectionReconfigurationメッセージ）にすることができる。このＷＴＲＵの機能性を稼動または停止するために、ＩＥを（例えば、ＣＳＧ接近検出フィールド内またはReportProximityConfig-r9フィールド内に）付加できる。
【００７７】
特定のエリアが、複数のＣＳＧセルによってすべてカバーされ、かつマクロセルのカバレッジ内である、キャンパスシナリオにおいて、ＷＴＲＵは、潜在的にキャンパス内のどこからでもＣＳＧセルにアクセスできると同時にマクロセルにもアクセスできる。いくつかのキャンパスシナリオにおいて、ＷＴＲＵは、すべてのＣＳＧセルにアクセスできるが、一方他のシナリオにおいて、ＷＴＲＵは、ＣＳＧセルのサブセットへのアクセスを制限されることもある。後者の場合、ネットワークは、ＷＴＲＵがアクセスするのを許可されているＣＳＧセルを表示するリストをシグナルできる。その信号は、ＣＳＧセルの周波数およびＰＳＣ／ＰＣＩおよび／またはセル識別子またはＣＧＩをＲＲＣメッセージ（例えば、測定制御メッセージまたはRRCConnectionReconfiguration）内に含むことができる。キャンパスエリア内のＣＳＧセル間を移動する際、ＷＴＲＵは、あるＣＳＧセルから別のＣＳＧセルへハンドオーバーを行うだけでなく、あるＣＳＧからマクロセルへ、およびマクロセルから別のＣＳＧセルへハンドオーバーを行うこともできる。マクロセルへのハンドオーバーの結果、いくつかの拡張サービスを失うこともある。ＷＴＲＵが他の隣接ＣＳＧセルのメンバーにならない場合を除いて、マクロセルの信号品質が、サービングセルの信号品質よりも良い場合、ＷＴＲＵは、通常の測定イベント（例えば、イベント１ＤまたはイベントＡ３）をトリガしないように構成されることができる。ＣＳＧサービングセルの品質が所定の閾値未満であり、かつ無線リンク障害を避けるためにハンドオーバーが必要な場合、ＷＴＲＵは、マクロセルを無視し、かつ自身のサービングセルは所定の閾値未満であるが、隣接ＣＳＧセルは所定の閾値を超えていることを表示する測定イベントをネットワークに送信するように構成されることができる。これは、たとえマクロセルの品質が隣接ＣＳＧセルの品質より良くても生じる。ＩＥを測定イベント（例えば、イベント１ＤまたはイベントＡ５）に含めて、ＷＴＲＵがマクロセルを無視することをネットワークに表示できる。ネットワークは、干渉管理の目的でこの情報を使用するように構成されることができる。測定イベント（例えば、「サービングセルの品質が閾値＿１よりも悪くなり、かつ隣接ＣＳＧセルの品質が閾値＿２よりも良くなる」）またはＲＲＣメッセージを付加して、同等の情報を供給できる。ネットワークがこのイベントまたはメッセージを受信する時、たとえマクロセルの品質が隣接ＣＳＧセルより良くても、ＣＳＧセルの品質がサービングセルよりも良い場合、ネットワークは、ＷＴＲＵをＣＳＧセルに引き渡すことを判断できる。ＷＴＲＵは、マクロセルおよびＣＳＧセルに対する別個の品質測定を特定の周波数レイヤ上で計算できる。ネットワークは、ＣＳＧセルおよびマクロセルを含むＵＥ測定を個別の周波数上で構成できる。この場合、ＷＴＲＵは、マクロセルのそれぞれがＣＳＧセルに関連した周波数品質を計算するために、式３および式４あるいは一般化された式８または式９を使用し、その後、ＣＳＧセル間ハンドオーバーまたはマクロセルへのアウトバウンドハンドオーバーを行うために、それに関連して構成された測定イベント（周波数間イベント用の��ｘまたはＲＡＴ間イベント用の３ｘ）を使用できる。ＷＴＲＵに、ＣＳＧセルとマクロセルに対する別個の異なるイベントを構成できる。ＵＥは、マクロセルとＣＳＧセルとの間のデルタ品質を同じ周波数上で判断するために、式５または式６を使用できる。デルタ品質をネットワークに報告できる。変更されたイベント報告ＲＲＣメッセージまたは新しいＲＲＣメッセージを使用して、各品質（マクロセルおよびＣＳＧセル）を独立してまたは一緒に報告できる。上記の測定報告に基づいて、ネットワークは、ＵＥをマクロレイヤからのセルまたは隣接ＣＳＧセルにハンドオーバーすることを決定できる。
【００７８】
ＷＴＲＵは、所定の期間中か、接続の進行中か、あるいは新しい通知が送信されるまで、ＷＴＲＵが使用可能かつ許可された場合、ＣＳＧセルへのハンドオーバーを行うことができ、マクロセルへは行わないことをネットワークに通知するように構成されることができる。ＷＴＲＵは、ＲＲＣメッセージ（例えば、ＲＲＣ接続要求、ＲＲＣ接続セットアップ完了）か、測定報告か、あるいは接近表示（例えば、接近表示が「entering」に設定された場合）によってその通知を送信でき、そして「HOtoCsgOnly」と呼ばれるＩＥを含むことができる。ＷＴＲＵは、例えば、マクロセルを無視したくない場合、この機能を停止する別の通知を送信できる。
【００７９】
Ｈ（ｅ）ＮＢセルをＷＴＲＵのアクティブセット内に含むことができないので、ＷＴＲＵは、同じ周波数上のセル間でＨ（ｅ）ＮＢセルからまたはＨ（ｅ）ＮＢセルへのハンドオーバーをトリガするためにアクティブセットを更新して、ＵＭＴＳ用の既存の周波数内測定イベントを再使用できる。この概念を、ＣＳＧ仮想セットの保守／周波数間上の更新に使用できる。隣接セルの品質が現在のサービングセルよりも良い場合、ＷＴＲＵは、たとえ隣接セルがアクティブセット内になくても、イベント１Ｄをネットワークに送信できるように、例えば、イベント１Ｄ「最適セルに変更」を再使用して、その定義を、Ｈ（ｅ）ＮＢセルの場合にアクティブセットの一部ではないセルに広げることができる。これは、サービングセルがＨ（ｅ）ＮＢセルであり、かつＷＴＲＵがアクティブセットを有していないか、または隣接セルがＨ（ｅ）ＮＢセルであり、かつＷＴＲＵのアクティブセットの一部ではないことにより可能である。ＩＥをイベント１Ｄの定義に付加することによって、ネットワークが、Ｈ（ｅ）ＮＢセル用にこのイベント１Ｄもトリガできるか、または関係するセルのうち少なくとも１つがＨ（ｅ）ＮＢセルである（例えば、サービングセルと隣接セルとの間のセルのうち１つがＨ（ｅ）ＮＢセルである）場合にＨ（ｅ）ＮＢセルを制限することができるかどうかを、ＷＴＲＵに明示的に表示できる。Ｈ（ｅ）ＮＢセルに固有の周波数内測定イベント、例えば、イベント１Ｋを、次の定義「隣接セルの品質がサービングセルの品質よりも良くなる」に付加できる。ＷＴＲＵは、関係するセル、例えば、サービングセルまたは隣接セルのうち１つが、Ｈ（ｅ）ＮＢセルである場合、このイベントを送信できる。
【００８０】
ＷＴＲＵは、サービングセルの品質が所定の閾値未満である場合、隣接セルの品質が所定の閾値を越えている場合、セル（例えば、サービングセルまたは隣接セル）のうち１つがＨ（ｅ）ＮＢセルである場合に、周波数内イベントを送信するように構成されることができる。ネットワークが、特定の周波数レイヤ上でＣＳＧセルを測定するようにＵＥを構成する場合、この概念を、ＣＳＧ仮想アクティブセットの保守／周波数間上の更新に広げることができる。イベント１Ｌと呼ばれるイベントを、次の定義「サービングセルの品質が所定の閾値未満であり、かつ隣接セルの品質が所定の閾値を越えている」に付加できる。
【００８１】
ＷＴＲＵは、新しい測定イベントをシグナルするために、測定報告メッセージ以外のＲＲＣメッセージを使用できる。ＷＴＲＵは、接近表示（測定およびメッセージのタイプ）を使用して、例えば、セルのうち少なくとも１つがＨ（ｅ）ＮＢセルである場合、周波数内隣接セルの品質がサービングセルよりも良いことをネットワークに表示できる。
【００８２】
ＷＴＲＵが周波数内測定イベントまたはＲＲＣメッセージを送信する時、ＩＥ即ち隣接セルのＰＳＣ／ＰＣＩ、隣接セルの信号品質、サービングセルの信号品質、隣接セルのタイプ即ちＣＳＧおよび非ＣＳＧ、サービングセルのタイプ即ちＣＳＧおよび非ＣＳＧ、サービングセルおよび隣接セルが同じタイプを有するかどうかの表示（例えば、両方ともＣＳＧセル）のうち１つまたはそれらの組み合わせを含むことができる。
【００８３】
Ｈ（ｅ）ＮＢモビリティの特異性（specificity）により、ＷＴＲＵによって使用される周波数品質の計算式を変更できる。個別のＰＳＣ／ＰＣＩ領域がＣＳＧセルに使用されるため、仮想アクティブセットの実装を用いて、接続モードでＨＮＢ間モビリティに対応できる。
【００８４】
用語、仮想アクティブセットは、ＣＳＧ領域からのＰＳＣの集合、および仮想アクティブセットのレポーティングおよび更新のルールに従った、ＰＳＣ領域外のマクロセルレイヤを含むことができるが、これらに限定されない。ネットワークは、ＣＳＧ仮想アクティブセットのレポーティング用およびマクロセルの仮想アクティブセット用に異なる閾値をシグナルできる。
【００８５】
以下の説明にあたり、用語ＣＳＧ仮想（アクティブ）セットを、仮想アクティブセットのレポーティングおよび更新のルールに従った周波数に対して、ネットワークがシグナルしたＰＳＣ  ＣＳＧ領域内のＰＳＣのセットを備えた、仮想アクティブセットのサブセットにすることができる。ネットワークは、ＣＳＧ仮想アクティブセットのレポーティング用およびマクロセル仮想アクティブセット用に異なる閾値をシグナルできる。
【００８６】
用語、許可されたＣＳＧ仮想（アクティブ）セットを、仮想アクティブセットのレポーティングおよび更新のルールに従った周波数に対して、ＣＳＧ  ＩＤが許可された、ＰＳＣ  ＣＳＧ領域内のＰＳＣのセットを備えた、仮想アクティブセットのサブセットにすることができる。ネットワークは、許可されたＣＳＧ仮想アクティブセットのレポーティング用およびマクロセル仮想アクティブセット用に異なる閾値をシグナルできる。
【００８７】
ＨＮＢは、ソフトハンドオーバーセル（マクロダイバーシティ結合）を許容できない。その場合、ＣＳＧ仮想アクティブセットは、単一セルの構成要素になる。
【００８８】
以下の説明にあたり、用語「マクロセル」は、任意のカバレッジサイズのオープンセルまたはハイブリッドセルを含むことができるが、これらに限定されない。
【００８９】
本明細書で開示されるのは、開示されたシステム、方法、および手段に使用できる模範的な式である。
【００９０】
ＷＴＲＵは、周波数品質を推定する際、許可されていないＣＳＧセルを排除するように構成されることができる。例えば、その周波数品質は、以下のように計算される。
【００９１】
【数１】
0005607756.tif 000002
【００９２】
ここで、変数Ｑｆｒｅｑｕｅｎｃｙは、許可されていないＣＳＧセルを排除した周波数ｊ上の仮想アクティブセットの推定品質である。変数Ｍｉｊは、許可されていないＣＳＧセルを排除した周波数ｊ上の仮想アクティブセット内のセルｉの測定結果である。変数ＮＡｊは、許可されていないＣＳＧセルを含んでいない周波数ｊ上の仮想アクティブセット内のセル数である。変数ＭＢｅｓｔｊは、最高の測定結果を有し、かつそれは許可されていないＣＳＧセルの結果ではない、周波数ｊ上の仮想アクティブセット内のセルの測定結果である。変数Ｗｊは、ＵＴＲＡＮからＷＴＲＵに送信され、かつ周波数ｊに使用されるパラメータである。
【００９３】
ＷＴＲＵは、許可されたＣＳＧセルを使用して、周波数品質を計算するように構成されることができる。例えば、その周波数品質は、以下のように計算される。
【００９４】
【数２】
0005607756.tif 000003
【００９５】
ここで、変数ＱｆｒｅｑｕｅｎｃｙＣＳＧｊは、周波数ｊ上の許可されたＣＳＧセルの推定品質である。変数Ｗｊは、ネットワークによってシグナルされた、周波数「ｊ」に関連する測定用のパラメータである。変数Ｍｉｊは、許可されたＣＳＧ仮想アクティブセットからの周波数「ｊ」上の許可されたＣＳＧセル「ｉ」の測定である。変数ＮＡＣＳＧｊは、許可されたＣＳＧ仮想アクティブセットのメンバーである、周波数「ｊ」上のＷＴＲＵによって測定される許可されたＣＳＧセルの数である。変数ＭＣＳＧＢｅｓｔｊは、許可されたＣＳＧ仮想アクティブセットからの周波数「ｊ」上のＷＴＲＵによって測定された最適ＣＳＧセルである。
【００９６】
ＷＴＲＵは、シグナルされたＣＳＧセルを使用して、周波数品質を計算できる。この場合、式２のパラメータは、次のように解釈できる：Ｗｊは、ネットワークによってシグナルされた、周波数「ｊ」に関連する測定用のパラメータである。変数Ｍｉｊは、周波数「ｊ」上のシグナルされたＣＳＧセル「ｉ」の測定である。ＮＡＣＳＧｊは、周波数「ｊ」上のＷＴＲＵによってＣＳＧ仮想セットから測定されるＣＳＧセルの数である。変数ＭＣＳＧＢｅｓｔｊは、周波数上のＷＴＲＵによってＣＳＧ仮想セットから測定される最適ＣＳＧセルである。
【００９７】
ＷＴＲＵは、マクロセルおよびＣＳＧセルを備えることができる、隣接セルのリスト内のどのＣＳＧセルにＷＴＲＵがアクセスを許可されているかを判断していない場合、ＷＴＲＵは、以下の計算式のうち１つを使用して、マクロセル（式３）用およびＣＳＧセル（式４）用の周波数「ｊ」の品質をそれぞれ計算できる。
【００９８】
【数３】
0005607756.tif 000004
【００９９】
ここで、変数ＱＭａｃｒｏｆｒｅｑｕｅｎｃｙｊは、周波数ｊ上のマクロセルの推定品質である。変数ＷｊＭは、ネットワークによってシグナルされた、周波数「ｊ」のマクロセルに関連する測定用のパラメータである。変数Ｍｉｊは、仮想アクティブセットのメンバーの周波数「ｊ」上のＣＳＧセル「ｉ」の測定である。変数Ｍｋｊは、仮想アクティブセットのメンバーの周波数「ｊ」上のマクロセル「ｋ」の測定である。変数ＮＡＣＳＧｊは、周波数「ｊ」上のＷＴＲＵによってＣＳＧ仮想セットから測定されるＣＳＧセルの数である。変数ＰＢｋは、周波数「ｊ」上のＷＴＲＵによって仮想アクティブセットから測定されるマクロセルの数である。変数ＭＢｅｓｔｊは、周波数「ｊ」上のＷＴＲＵによって仮想アクティブセットから測定される最適マクロセルである。
【０１００】
【数４】
0005607756.tif 000005
【０１０１】
ここで、変数ＱＣＳＧｆｒｅｑｕｅｎｃｙｊは、周波数ｊ上のＣＳＧセルの推定品質である。変数ＷｊＣＳＧは、ネットワークによってシグナルされた、周波数「ｊ」のＣＳＧセルに関連する測定用のパラメータである。変数Ｍｉｊは、仮想アクティブセットのメンバーの周波数「ｊ」上のＣＳＧセル「ｉ」の測定である。変数Ｍｋｊは、仮想アクティブセットのメンバーの周波数「ｊ」上のマクロセル「ｋ」の測定である。変数ＮＡＣＳＧｊは、周波数「ｊ」上のＷＴＲＵによってＣＳＧ仮想セットから測定されるＣＳＧセルの数である。変数ＰＢｋは、周波数「ｊ」上のＷＴＲＵによって仮想アクティブセットから測定されるマクロセルの数である。変数ＭＣＳＧＢｅｓｔｊは、周波数「ｊ」上のＷＴＲＵによってＣＳＧ仮想アクティブセットから測定される最適ＣＳＧセルである。
【０１０２】
ＷＴＲＵは、上記の計算式を使用して、周波数品質を計算できる。ＷＴＲＵは、計算された品質（複数）を使用して、イベントまたは組み合わされたイベント（マクロセルとＣＳＧセル）をネットワークに送信するかどうか、計算された品質を、ＲＲＣメッセージを使用して報告するかどうかを判断できる。
【０１０３】
ＷＴＲＵは、マクロセルの周波数品質とＣＳＧセルの周波数品質とを比較することによってデルタ周波数品質の値を計算して、その結果に基づいて単一のイベントを送信できる。
【０１０４】
【数５】
0005607756.tif 000006
【０１０５】
上記のマクロセルおよびＣＳＧセルの品質を使用して、ネットワークは、デルタ周波数品質に適用される１または２の重みを送信できる。一般的な計算式を以下のように記述する。
【０１０６】
【数６】
0005607756.tif 000007
【０１０７】
ここで、αは、マクロセルの品質に適用される重みである。変数βは、ＣＳＧセルの品質に適用される重みである。
【０１０８】
ネットワークは、異なるオフセット、例えば、ＣＳＧセル用にあるオフセット、およびマクロセル用に別のオフセットをシグナルして、周波数品質に適用できる。
【０１０９】
一般的な計算式を以下のように記述する。
【０１１０】
【数７】
0005607756.tif 000008
【０１１１】
ここで、
【０１１２】
【数８】
0005607756.tif 000009
【０１１３】
上記の計算式は、個々の重みをマクロセルとＣＳＧセルのそれぞれに適用することによって、以下のようにさらに一般化される。
【０１１４】
【数９】
0005607756.tif 000010
【０１１５】
ここで、
【０１１６】
【数１０】
0005607756.tif 000011
【０１１７】
Ｍｉｊは、ＣＳＧ仮想アクティブセットからの最適セルであり、Ｍｋｊは、最適マクロセルであり、χｉおよびγｋは、それらのセルに対応する重みである。
【０１１８】
ＷＴＲＵは、上記の計算式および閾値（複数）例えば、ネットワークによる設定、からの結果に基づいてイベントをネットワークに送信できる。
【０１１９】
本機能および要素を特定の組み合わせにおいて上述したが、各機能または要素を単独で、または他の機能および要素との任意の組み合わせにおいて使用することができることを当業者は認識されたい。さらに、本明細書で説明した方法を、コンピュータまたはプロセッサによって実行するためのコンピュータ可読媒体に組み込まれるコンピュータプログラム、ソフトウェア、またはファームウェアに実装できる。コンピュータ可読媒体の例は、電子信号（有線または無線接続を介して伝送される）およびコンピュータ可読記憶媒体を含む。コンピュータ可読記憶媒体の例は、リードオンリーメモリ（ＲＯＭ）、ランダムアクセスメモリ（ＲＡＭ）、レジスタ、キャッシュメモリ、半導体メモリデバイス、内部ハードディスクおよびリムーバブルディスクなどの磁気媒体、光磁気媒体、およびＣＤ−ＲＯＭおよびデジタル多用途ディスク（ＤＶＤ）などの光媒体を含むが、これらに限定されない。ソフトウェアと連動するプロセッサを使用して、ＷＴＲＵ、ＵＥ、端末機、基地局、ＲＮＣ、または任意のホストコンピュータで使用するための無線周波数トランシーバを実装することができる。
【図１Ａ】
0005607756.tif 000012
【図１Ｂ】
0005607756.tif 000013
【図１Ｃ】
0005607756.tif 000014
【図２】
0005607756.tif 000015
【図３】
0005607756.tif 000016
【図４】
0005607756.tif 000017
【図５】
0005607756.tif 000018
【図６】
0005607756.tif 000019